(57)【要約】【課題】コンパクトな形状に変形可能であり、且つ、使用時に使用者の顔にフィットし、しかも、軽量で低コストなメガネフレームを提供する。【解決手段】テンプル５の一端側は、側方に撓むように可撓性を有する。テンプル５の一端側は、回動軸心Ｃ１に沿う方向に第１分割部６と第２分割部７とに２分割され、第２分割部７は、テンプル５の延長方向に延びるガイド溝７ａを有す。ヨロイ４には、回動軸心Ｃ１周りに回動可能に第１分割部６を軸支する第１支軸４ｄと、第１支軸４ｄと同方向に延び、且つ、第１支軸４ｄよりもレンズ２から離れた位置においてガイド溝７ａに嵌合する第２支軸４ｅとが設けられ、第２支軸４ｅは、テンプル５が回動軸心Ｃ１周りに回動する際、ガイド溝７ａに案内される。【選択図】図７
2019164188.tif 000002
【特許請求の範囲】
【請求項１】
レンズの側部に直接的にか、或いは、当該レンズが嵌め込まれたリムの側部に取り付けられるヨロイと、側方に回動可能となるように一端が上記ヨロイに軸支される一方、モダンが他端側に取り付けられるテンプルとを備えたメガネフレームであって、
上記テンプルの一端側は、側方に撓むよう可撓性を有するとともに、回動軸心に沿う方向に第１分割部と第２分割部とに２分割され、且つ、当該第２分割部は上記テンプルの延長方向に延びるガイド溝を有し、
上記ヨロイには、上記回動軸心周りに回動可能に上記第１分割部を軸支する第１支軸と、上記第１支軸と同方向に延び、且つ、当該第１支軸よりも上記レンズから離れた位置において上記ガイド溝に嵌合しており、上記テンプルが上記回動軸心周りに回動する際、上記ガイド溝に案内されるよう構成された第２支軸とが設けられていることを特徴とするメガネフレーム。
【請求項２】
請求項１に記載のメガネフレームにおいて、
上記ヨロイには、上記レンズ裏面から離れる方向に延び、延出端側に上記第１及び第２支軸を有するヨロイ本体部が設けられ、
上記第１分割部の一端と上記第１支軸との間、及び、上記第２分割部の一端と上記第２支軸との間の少なくとも一方には、上記テンプルを外側方に回動させた際、上記ヨロイ本体部に接触するカバー部が設けられていることを特徴とするメガネフレーム。
【発明の詳細な説明】
【技術分野】
【０００１】
本発明は、メガネの骨格をなすメガネフレームに関する。
【背景技術】
【０００２】
従来より、例えば、特許文献１に開示されているメガネフレームは、レンズの側部に直接的にか、或いは、当該レンズが嵌め込まれたリムの側部に取り付けられるヨロイと、使用者のこめかみ部分に対応する水平方向に直線状に延びるテンプルと、該テンプルの一端とヨロイとを接続するヒンジ機構とを備え、テンプルをヒンジ機構によりメガネの内側方に回動させてメガネ全体をコンパクトな状態に変形させることにより、メガネケースに収容できるようになっている。上記ヒンジ機構は、ヨロイに固定された第１ヒンジ部と、該第１ヒンジ部に軸支された第２ヒンジ部とを備え、当該第２ヒンジ部は、テンプルの延長方向に沿って当該テンプルの内面にスライド可能に取り付けられている。また、第２ヒンジ部には、テンプルを第２ヒンジ部に対してヨロイ側にスライドさせるように付勢するコイルバネが取り付けられ、テンプルの一端は、第１ヒンジ部の外側方においてヨロイに当接している。そして、使用者がメガネをかける際、使用者のこめかみ部分に接触したテンプルがメガネの外側方に回動しようとすると、第２ヒンジ部が第１ヒンジ部に対して回動するとともに、テンプルがコイルバネの付勢力に抗してヨロイから離れる方向に第２ヒンジ部に対してスライドしながらヨロイとの当接する箇所を支点として回動するようになっている。したがって、コイルバネの付勢力によってテンプルにメガネの内側方に回動する力が働くようになり、使用者のこめかみ部分にテンプルがフィットするようになっている。
【先行技術文献】
【特許文献】
【０００３】
【特許文献１】特開昭６１−１７６９０８号公報
【発明の概要】
【発明が解決しようとする課題】
【０００４】
しかし、特許文献１のメガネフレームは、ヒンジ機構におけるスライド部分の形状やコイルバネを収容する部分の形状が複雑で製作が困難であるとともに部品点数が多いので、コストが嵩むという問題がある。また部品点数が多いことからメガネ全体の重量が重くなるという問題もある。
【０００５】
本発明は、斯かる点に鑑みてなされたものであり、その目的とするところは、コンパクトな形状に変形可能であり、且つ、使用時に使用者の顔にフィットし、しかも、軽量で低コストなメガネフレームを提供することにある。
【課題を解決するための手段】
【０００６】
上記の目的を達成するために、本発明は、テンプルのヨロイ側の構造をテンプルの回動軸心に沿う方向に２分割にするとともに可撓性を有するようにし、且つ、テンプルを回動させたときに２つの分割部分が互いに離れるようにしたことを特徴とする。
【０００７】
具体的には、レンズの側部に直接的にか、或いは、当該レンズが嵌め込まれたリムの側部に取り付けられるヨロイと、側方に回動可能となるように一端が上記ヨロイに軸支される一方、モダンが他端側に取り付けられるテンプルとを備えたメガネフレームにおいて、次のような解決手段を講じた。
【０００８】
すなわち、第１の発明では、上記テンプルの一端側は、側方に撓むよう可撓性を有するとともに、回動軸心に沿う方向に第１分割部と第２分割部とに２分割され、且つ、当該第２分割部は上記テンプルの延長方向に延びるガイド溝を有し、上記ヨロイには、上記回動軸心周りに回動可能に上記第１分割部を軸支する第１支軸と、上記第１支軸と同方向に延び、且つ、当該第１支軸よりも上記レンズから離れた位置において上記ガイド溝に嵌合しており、上記テンプルが上記回動軸心周りに回動する際、上記ガイド溝に案内されるよう構成された第２支軸とが設けられていることを特徴とする。
【０００９】
第２の発明では、第１の発明において、上記ヨロイには、上記レンズ裏面から離れる方向に延び、延出端側に上記第１及び第２支軸を有するヨロイ本体部が設けられ、上記第１分割部の一端と上記第１支軸との間、及び、上記第２分割部の一端と上記第２支軸との間の少なくとも一方には、上記テンプルを外側方に回動させた際、上記ヨロイ本体部に接触するカバー部が設けられていることを特徴とする。
【発明の効果】
【００１０】
第１の発明では、使用者がメガネをかける際、使用者のこめかみ部分にテンプルが接触すると、テンプルがメガネの外側方に第１支軸周りに回動し始めるとともに第２支軸がガイド溝に案内され始める。すると、第２支軸は、第１支軸と第２支軸との並設方向に第２分割部を押すので、第２分割部が第１分割部から離れるように撓む。このとき、第２支軸をガイド溝の元位置に戻す方向に第２支軸に対して第２分割部の復元力が加わり、テンプルに対してメガネの内側方に回動する力が働くようになるので、使用者のこめかみ部分にテンプルをフィットさせることができる。一方、テンプルに対してメガネの内側方に向く力を加えると、テンプルが第１支軸周りに回動し始めるとともに第２支軸がガイド溝に案内され始める。すると、第２支軸は、第１支軸と第２支軸との並設方向に第２分割部を押すので、第２分割部が第１分割部から離れるように徐々に撓んでいく。テンプルが所定の角度回動するまでは、第２支軸をガイド溝の元位置に戻す方向に第２支軸に対して第２分割部の復元力が加わるが、テンプルが所定の角度以上回動すると、第２支軸をガイド溝の元位置から離す方向に第２支軸に対して第２分割部の復元力が加わり、第２分割部が撓んだ状態のままテンプルがレンズの裏面に沿う方向に延びる姿勢で維持されるようになる。このように、メガネをコンパクトな形状に変形させることができる。また、特許文献１の如き複雑な形状のヒンジ機構が無く、さらには、コイルバネ等も必要無いので、製作が簡単で、且つ、部品点数を少なくすることができ、コストを下げることができる。さらに、特許文献１の如き構造よりも部品点数を減らすことができるので、メガネ全体の重量を軽くすることができる。
【００１１】
第２の発明では、テンプルがメガネの外側方に回動する際、カバー部がヨロイ本体部に接触してそれ以上のテンプルの回動動作を阻止するようになる。したがって、テンプルが所定の角度以上回動し過ぎてしまうのを防ぐことができる。また、使用者がメガネをかけているときに、カバー部によってヨロイ本体部の一部領域が外側方から見えなくなるので、メガネ全体の意匠性を高めることができる。
【図面の簡単な説明】
【００１２】
【図１】本発明の実施形態１に係るメガネフレームを備えたメガネの平面図である。
【図２】図１のII−II線における断面図である。
【図３】図１のIII矢視図である。
【図４】図１のIV矢視図である。
【図５】一方のテンプルを畳んだ状態を示す図１相当図である。
【図６】図１のVI部拡大図である。
【図７】図６の後、一方のテンプルをメガネの内側方に回動させ始めた直後の図である。
【図８】図７の後、一方のテンプルをメガネの内側方に回動させ終えた状態を示す図である。
【図９】他方のテンプルを外側方に回動させた状態を示す図５相当図である。
【図１０】図９のX部拡大図である。
【図１１】本発明の実施形態２に係る図５相当図である。
【図１２】本発明の実施形態２に係る図２相当図である。
【図１３】本発明の実施形態２に係る図３相当図である。
【図１４】本発明の実施形態２に係る図４相当図である。
【図１５】本発明の実施形態２に係る図９相当図である。
【発明を実施するための形態】
【００１３】
以下、本発明の実施形態を図面に基づいて詳細に説明する。尚、以下の好ましい実施形態の説明は、本質的に例示に過ぎない。
【００１４】
《発明の実施形態１》
図１乃至図４は、本発明の実施形態１に係るメガネフレーム１を備えたメガネ１０を示す。該メガネ１０は、所謂近視用メガネであり、使用者の視力に対応する一対のレンズ２を上記メガネフレーム１に取り付けたものである。
【００１５】
メガネフレーム１は、水平方向に並設された両レンズ２を橋絡するブリッジ３を備え、該ブリッジ３には、一対の鼻パッド３ａが設けられている。
【００１６】
また、メガネフレーム１は、各レンズ２の側部に直接的に取り付けられた一対のヨロイ４を備えている。
【００１７】
該各ヨロイ４は、断面円形状の１本の細長い金属線を折り曲げて形成されたものであり、平面視で略Ｌ字状をなすヨロイ本体部４ａを有している。
【００１８】
該ヨロイ本体部４ａは、レンズ２から外側方に延出する第１延出部４ｂと、レンズ２の裏面から離れるように第１延出部４ｂの延出端からメガネ１０の後方に延びる第２延出部４ｃとを備え、第１延出部４ｂの基端部分がビスＢ１及びナットＮ１を用いてレンズ２の側部に固定されている。尚、第１延出部４ｂの基端側には、１本の金属線を折り返した部分にビスＢ１を挿通させるビス挿通孔（図示せず）が形成されている。
【００１９】
第２延出部４ｃの延出端側には、上方に向かって延びる第１支軸４ｄと、下方に向かって延びる第２支軸４ｅとが設けられている。尚、第１支軸４ｄは、金属線の一方の端部を上方に折り曲げて形成され、第２支軸４ｅは、金属線の他方の端部を下方に折り曲げることにより形成されている。
【００２０】
第２支軸４ｅは、その中心軸が第１支軸４ｄと同方向に延びるとともに、当該第１支軸４ｄよりもレンズ２から離れた位置に設けられている。
【００２１】
メガネフレーム１は、使用者のこめかみ部分に対応する水平方向に直線状に延びる一対のテンプル５を備えている。
【００２２】
該各テンプル５は、板面が上下方向に沿って延びる可撓性を有する細長い金属板で形成され、側方に撓むよう構成されている。
【００２３】
テンプル５の一端側は、水平方向に延びてテンプル５の一端に開放するスリット５ａによって上下方向に第１分割部６と第２分割部７とに２分割される一方、テンプル５の他端側には、使用者の耳に接触する部分となるモダン８が取り付けられている。
【００２４】
第１分割部６の一端側には、上下方向に貫通する断面略円形状の軸支孔６ａが設けられ、該軸支孔６ａは、金属板の折り返し部分における板間に形成された隙間により構成されている。
【００２５】
軸支孔６ａには、ヨロイ４の第１支軸４ｄが下方から嵌合しており、テンプル５は、第１支軸４ｄ周りに回動可能になっている。
【００２６】
すなわち、第１支軸４ｄは、上下に延びる回動軸心Ｃ１周りに回動可能に第１分割部６を軸支している。
【００２７】
また、第１分割部６の一端側下半部分には、第１分割部６の一端と第１支軸４ｄとの間に対応する内側壁を切り欠くことにより形成された第１切欠部６ｂが設けられている。
【００２８】
そして、第１分割部６の一端側下半部分における外側壁が本発明のカバー部６ｃを構成しており、該カバー部６ｃは、テンプル５を外側方に回動させた際、ヨロイ４の第２延出部４ｃに接触するようになっている。
【００２９】
第２分割部７の一端側には、上下方向に貫通するガイド溝７ａが設けられ、該ガイド溝７ａは、金属板の折り返し部分における板間に形成された隙間により構成されている。
【００３０】
ガイド溝７ａは、第２分割部７の一端から他端に向かって当該第２分割部７の延長方向に沿って延びていて、第２支軸４ｅが上方から嵌合している。
【００３１】
第２分割部７の一端側上半部分には、第２分割部７の一端と第２支軸４ｅとの間に対応する内側壁を切り欠くことにより形成された第２切欠部７ｂが設けられている。
【００３２】
そして、第２支軸４ｅは、テンプル５が第１支軸４ｄ（回動軸心Ｃ１）周りに回動する際、ガイド溝７ａに案内されるよう構成されている。
【００３３】
また、第２分割部７の一端側上半部分における外側壁が本発明のカバー部７ｃを構成しており、該カバー部７ｃは、テンプル５を外側方に回動させた際、ヨロイ４の第２延出部４ｃに接触するようになっている。
【００３４】
次に、メガネ１０の折り畳み動作について詳述する。
【００３５】
まず、メガネ１０の使用者は、一方の手でヨロイ４等を把持しながら他方の手でテンプル５に対してメガネ１０の内側方に向く力を加えると、図６及び図７に示すように、テンプル５が第１支軸４ｄ周りに回動し始めるとともに第２支軸４ｅがガイド溝７ａに案内され始める。すると、第２支軸４ｅは、第１支軸４ｄと第２支軸４ｅとの並設方向に第２分割部７を押すので、第２分割部７が第１分割部６から離れるように徐々に撓んでいく。テンプル５が所定の角度回動するまでは、第２支軸４ｅをガイド溝７ａの元位置Ｐ１に戻す方向に第２支軸４ｅに対して第２分割部７の復元力が加わるが、テンプル５が所定の角度以上回動すると、第２支軸４ｅをガイド溝７ａの元位置Ｐ１から離す方向に第２支軸４ｅに対して第２分割部７の復元力が加わり、図５及び図８に示すように、第２分割部７が撓んだ状態のままテンプル５がレンズ２の裏面に沿う方向に延びる姿勢で維持されるようになる。このように、本発明の実施形態１に係るメガネ１０は、コンパクトな形状に変形させることができる。
【００３６】
次いで、メガネ１０の使用時について詳述する。
【００３７】
使用者がメガネ１０をかける際、使用者のこめかみ部分にテンプル５が接触すると、図９及び図１０に示すように、テンプル５がメガネの外側方に第１支軸４ｄ周りに回動し始めるとともに第２支軸４ｅがガイド溝７ａに案内され始める。すると、第２支軸４ｅは、第１支軸４ｄと第２支軸４ｅとの並設方向に第２分割部７を押すので、第２分割部７が第１分割部６から離れるように撓む。このとき、第２支軸４ｅをガイド溝７ａの元位置Ｐ１に戻す方向に第２支軸４ｅに対して第２分割部７の復元力が加わり、テンプル５に対してメガネ１０の内側方に回動する力が働くようになる。したがって、使用者のこめかみ部分にテンプル５をフィットさせることができる。
【００３８】
また、テンプル５がメガネ１０の外側方に回動する際、カバー部６ｃ、７ｃがヨロイ本体部４ａの第２延出部４ｃに接触してそれ以上のテンプル５の回動動作を阻止するようになるので、テンプル５が所定の角度以上外側方に回動し過ぎてしまうのを防ぐことができる。
【００３９】
以上より、本発明の実施形態１によると、特許文献１の如き複雑な形状のヒンジ機構が無く、さらには、コイルバネ等も必要無いので、製作が簡単で、且つ、部品点数を少なくすることができ、コストを下げることができる。
【００４０】
また、特許文献１の如き構造よりも部品点数を減らすことができるので、メガネ１０全体の重量を軽くすることができる。
【００４１】
さらに、第１分割部６の一端側下半部分にヨロイ４の一部を外側方から覆うカバー部６ｃが設けられる一方、第２分割部７の一端側上半部分にヨロイ４の一部を外側方から覆うカバー部７ｃが設けられているので、使用者がメガネ１０をかけているときに、カバー部６ｃ、７ｃによってヨロイ本体部４ａの一部領域が外側方から見えなくなり、メガネ１０全体の意匠性を高めることができる。
【００４２】
尚、本発明の実施形態１では、テンプル５に２つのカバー部６ｃ、７ｃを設けているが、テンプル５に２つのカバー部６ｃ、７ｃを設けることは必須ではなく、第１分割部６及び第２分割部７の少なくとも一方に設けるようにすればよい。
【００４３】
《発明の実施形態２》
図１１乃至図１５は、本発明の実施形態２に係るメガネフレーム１を備えたメガネ１０を示す。この実施形態２では、メガネフレーム１がリム９を備えている点と、ヨロイ４及びテンプル５の一部構造とが実施形態１と異なっているだけで、その他は実施形態１と同じであるため、以下、実施形態１と異なる部分のみを詳細に説明する。
【００４４】
実施形態２では、各レンズ２が一対のリム９にそれぞれ嵌め込まれ、ブリッジ３が両リム９を橋絡している。
【００４５】
実施形態２のヨロイ４は、実施形態１と同様に、断面円形状の１本の細長い金属線を折り曲げて形成されたものであり、平面視で略Ｌ字状をなすとともに側面視で略Ｕ字状をなすヨロイ本体部４０ａを有している。
【００４６】
該ヨロイ本体部４０ａは、リム９の前面に固定される上下に延びる固定部４１ａと、該固定部４１ａの上下両端からそれぞれ外側方に互いに平行となるように延出する一対の第１延出部４１ｂと、レンズ２の裏面から離れるように各第１延出部４１ｂの延出端からメガネ１０の後方に延びる一対の第２延出部４１ｃとを備え、下側の第２延出部４１ｃは、先端側部分が基端側部分よりも下方に位置するよう段差状に延びている。
【００４７】
下側の第２延出部４１ｃの延出端は、上側の第２延出部４１ｃの延出端よりもレンズ２の裏面から離れていて、上側の第２延出部４１ｃの延出端から上記第１支軸４ｄが下方に向かって延びる一方、下側の第２延出部４１ｃの延出端から上記第２支軸４ｅが上方に向かって延びている。
【００４８】
実施形態２の第１分割部６における軸支孔６ａには、第１支軸４ｄが上方から嵌合しており、当該第１支軸４ｄは、回動軸心Ｃ１周りに回動可能に第１分割部６を軸支している。
【００４９】
また、第１分割部６の一端側上半部分には、第１分割部６の一端と第１支軸４ｄとの間に対応する内側壁を切り欠くことにより形成された第１切欠部６１ｂが設けられている。
【００５０】
そして、第１分割部６の一端側上半部分における外側壁が本発明のカバー部６１ｃを構成しており、該カバー部６１ｃは、テンプル５を外側方に回動させた際、ヨロイ４の上側の第２延出部４１ｃに接触するようになっている。
【００５１】
実施形態２の第２分割部７におけるガイド溝７ａには、第２支軸４ｅが下方から嵌合している。
【００５２】
第２分割部７の一端側下半部分には、第２分割部７の一端と第２支軸４ｅとの間に対応する内側壁を切り欠くことにより形成された第２切欠部７１ｂが設けられている。
【００５３】
そして、第２分割部７の一端側下半部分における外側壁が本発明のカバー部７１ｃを構成しており、該カバー部７１ｃは、テンプル５を外側方に回動させた際、ヨロイ４の下側の第２延出部４１ｃに接触するようになっている。
【００５４】
尚、メガネ１０を折り畳む際のテンプル５の動作は、実施形態１と同じであるので、詳細な説明は省略する。
【００５５】
また、メガネ１０の使用時におけるテンプル５の動作は、当該テンプル５を外側方に回動させた際に、ヨロイ本体部４０ａの一対の第２延出部４１ｃがカバー部６１ｃ、７１ｃにそれぞれ接触する以外は実施形態１と同じであるので、詳細な説明を省略する。
【００５６】
以上より、本発明の実施形態２によると、実施形態１と同様の効果が得られるとともに、ヨロイ４が特徴的な外観になるので、メガネ１０全体の意匠性を高めることができる。
【００５７】
尚、本発明の実施形態２では、テンプル５に２つのカバー部６１ｃ、７１ｃを設けているが、テンプル５に２つのカバー部６１ｃ、７１ｃを設けることは必須ではなく、第１分割部６及び第２分割部７の少なくとも一方に設けるようにすればよい。
【００５８】
また、本発明の実施形態１、２の構造は、近視用のメガネ１０に適用されているが、サングラス等に適用することもできる。
【産業上の利用可能性】
【００５９】
本発明は、メガネの骨格をなすメガネフレームに適している。
【符号の説明】
【００６０】
１        メガネフレーム
２        レンズ
４          ヨロイ
４ａ        ヨロイ本体部
４ｄ        第１支軸
４ｅ        第２支軸
５        テンプル
６        第１分割部
６ｃ        カバー部
７        第２分割部
７ａ        ガイド溝
７ｃ        カバー部
８        モダン
４０ａ        ヨロイ本体部
６１ｃ        カバー部
７１ｃ        カバー部
Ｃ１        回動軸心        
【図１】
2019164188.tif 000003
【図２】
2019164188.tif 000004
【図３】
2019164188.tif 000005
【図４】
2019164188.tif 000006
【図５】
2019164188.tif 000007
【図６】
2019164188.tif 000008
【図７】
2019164188.tif 000009
【図８】
2019164188.tif 000010
【図９】
2019164188.tif 000011
【図１０】
2019164188.tif 000012
【図１１】
2019164188.tif 000013
【図１２】
2019164188.tif 000014
【図１３】
2019164188.tif 000015
【図１４】
2019164188.tif 000016
【図１５】
2019164188.tif 000017
【手続補正書】
【提出日】平成31年4月17日(2019.4.17)
【手続補正１】
【補正対象書類名】明細書
【補正対象項目名】全文
【補正方法】変更
【補正の内容】
【発明の詳細な説明】
【技術分野】
【０００１】
本発明は、メガネの骨格をなすメガネフレームに関する。
【背景技術】
【０００２】
従来より、例えば、特許文献１に開示されているメガネフレームは、レンズの側部に直接的にか、或いは、当該レンズが嵌め込まれたリムの側部に取り付けられるヨロイと、使用者のこめかみ部分に対応する水平方向に直線状に延びるテンプルと、該テンプルの一端とヨロイとを接続するヒンジ機構とを備え、テンプルをヒンジ機構によりメガネの内側方に回動させてメガネ全体をコンパクトな状態に変形させることにより、メガネケースに収容できるようになっている。上記ヒンジ機構は、ヨロイに固定された第１ヒンジ部と、該第１ヒンジ部に軸支された第２ヒンジ部とを備え、当該第２ヒンジ部は、テンプルの延長方向に沿って当該テンプルの内面にスライド可能に取り付けられている。また、第２ヒンジ部には、テンプルを第２ヒンジ部に対してヨロイ側にスライドさせるように付勢するコイルバネが取り付けられ、テンプルの一端は、第１ヒンジ部の外側方においてヨロイに当接している。そして、使用者がメガネをかける際、使用者のこめかみ部分に接触したテンプルがメガネの外側方に回動しようとすると、第２ヒンジ部が第１ヒンジ部に対して回動するとともに、テンプルがコイルバネの付勢力に抗してヨロイから離れる方向に第２ヒンジ部に対してスライドしながらヨロイとの当接する箇所を支点として回動するようになっている。したがって、コイルバネの付勢力によってテンプルにメガネの内側方に回動する力が働くようになり、使用者のこめかみ部分にテンプルがフィットするようになっている。
【先行技術文献】
【特許文献】
【０００３】
【特許文献１】特開昭６１−１７６９０８号公報
【発明の概要】
【発明が解決しようとする課題】
【０００４】
しかし、特許文献１のメガネフレームは、ヒンジ機構におけるスライド部分の形状やコイルバネを収容する部分の形状が複雑で製作が困難であるとともに部品点数が多いので、コストが嵩むという問題がある。また部品点数が多いことからメガネ全体の重量が重くなるという問題もある。
【０００５】
本発明は、斯かる点に鑑みてなされたものであり、その目的とするところは、コンパクトな形状に変形可能であり、且つ、使用時に使用者の顔にフィットし、しかも、軽量で低コストなメガネフレームを提供することにある。
【課題を解決するための手段】
【０００６】
上記の目的を達成するために、本発明は、テンプルのヨロイ側の構造をテンプルの回動軸心に沿う方向に２分割にするとともに可撓性を有するようにし、且つ、テンプルを回動させたときに２つの分割部分が互いに離れるようにしたことを特徴とする。
【０００７】
具体的には、レンズの側部に直接的にか、或いは、当該レンズが嵌め込まれたリムの側部に取り付けられるヨロイと、側方に回動可能となるように一端が上記ヨロイに軸支される一方、モダンが他端側に取り付けられるテンプルとを備えたメガネフレームにおいて、次のような解決手段を講じた。
【０００８】
すなわち、第１の発明では、上記テンプルは、水平方向に延び、且つ、板面が上下方向に沿って延びて側方に撓むよう可撓性を有する細長い金属板で形成され、上記テンプルの一端側は、水平方向に延びて上記テンプルの一端に開放するスリットによって回動軸心に沿う上下方向に第１分割部と第２分割部とに２分割され、且つ、当該第２分割部は上下方向に貫通するとともに上記テンプルの延長方向に延びるガイド溝を有し、上記ヨロイには、上記回動軸心周りに回動可能に上記第１分割部を軸支する第１支軸と、上記第１支軸と同方向に延び、且つ、当該第１支軸よりも上記レンズから離れた位置において上記ガイド溝に嵌合しており、上記テンプルが上記回動軸心周りに回動する際、上記ガイド溝に案内されるよう構成された第２支軸とが設けられていることを特徴とする。
【０００９】
第２の発明では、第１の発明において、上記ヨロイには、上記レンズ裏面から離れる方向に延び、延出端側に上記第１及び第２支軸を有するヨロイ本体部が設けられ、上記第１分割部の一端と上記第１支軸との間、及び、上記第２分割部の一端と上記第２支軸との間の少なくとも一方には、上記テンプルを外側方に回動させた際、上記ヨロイ本体部に接触するカバー部が設けられていることを特徴とする。
【発明の効果】
【００１０】
第１の発明では、使用者がメガネをかける際、使用者のこめかみ部分にテンプルが接触すると、テンプルがメガネの外側方に第１支軸周りに回動し始めるとともに第２支軸がガイド溝に案内され始める。すると、第２支軸は、第１支軸と第２支軸との並設方向に第２分割部を押すので、第２分割部が第１分割部から離れるように撓む。このとき、第２支軸をガイド溝の元位置に戻す方向に第２支軸に対して第２分割部の復元力が加わり、テンプルに対してメガネの内側方に回動する力が働くようになるので、使用者のこめかみ部分にテンプルをフィットさせることができる。一方、テンプルに対してメガネの内側方に向く力を加えると、テンプルが第１支軸周りに回動し始めるとともに第２支軸がガイド溝に案内され始める。すると、第２支軸は、第１支軸と第２支軸との並設方向に第２分割部を押すので、第２分割部が第１分割部から離れるように徐々に撓んでいく。テンプルが所定の角度回動するまでは、第２支軸をガイド溝の元位置に戻す方向に第２支軸に対して第２分割部の復元力が加わるが、テンプルが所定の角度以上回動すると、第２支軸をガイド溝の元位置から離す方向に第２支軸に対して第２分割部の復元力が加わり、第２分割部が撓んだ状態のままテンプルがレンズの裏面に沿う方向に延びる姿勢で維持されるようになる。このように、メガネをコンパクトな形状に変形させることができる。また、特許文献１の如き複雑な形状のヒンジ機構が無く、さらには、コイルバネ等も必要無いので、製作が簡単で、且つ、部品点数を少なくすることができ、コストを下げることができる。さらに、特許文献１の如き構造よりも部品点数を減らすことができるので、メガネ全体の重量を軽くすることができる。
【００１１】
第２の発明では、テンプルがメガネの外側方に回動する際、カバー部がヨロイ本体部に接触してそれ以上のテンプルの回動動作を阻止するようになる。したがって、テンプルが所定の角度以上回動し過ぎてしまうのを防ぐことができる。また、使用者がメガネをかけているときに、カバー部によってヨロイ本体部の一部領域が外側方から見えなくなるので、メガネ全体の意匠性を高めることができる。
【図面の簡単な説明】
【００１２】
【図１】本発明の実施形態１に係るメガネフレームを備えたメガネの平面図である。
【図２】図１のII−II線における断面図である。
【図３】図１のIII矢視図である。
【図４】図１のIV矢視図である。
【図５】一方のテンプルを畳んだ状態を示す図１相当図である。
【図６】図１のVI部拡大図である。
【図７】図６の後、一方のテンプルをメガネの内側方に回動させ始めた直後の図である。
【図８】図７の後、一方のテンプルをメガネの内側方に回動させ終えた状態を示す図である。
【図９】他方のテンプルを外側方に回動させた状態を示す図５相当図である。
【図１０】図９のX部拡大図である。
【図１１】本発明の実施形態２に係る図５相当図である。
【図１２】本発明の実施形態２に係る図２相当図である。
【図１３】本発明の実施形態２に係る図３相当図である。
【図１４】本発明の実施形態２に係る図４相当図である。
【図１５】本発明の実施形態２に係る図９相当図である。
【発明を実施するための形態】
【００１３】
以下、本発明の実施形態を図面に基づいて詳細に説明する。尚、以下の好ましい実施形態の説明は、本質的に例示に過ぎない。
【００１４】
《発明の実施形態１》
図１乃至図４は、本発明の実施形態１に係るメガネフレーム１を備えたメガネ１０を示す。該メガネ１０は、所謂近視用メガネであり、使用者の視力に対応する一対のレンズ２を上記メガネフレーム１に取り付けたものである。
【００１５】
メガネフレーム１は、水平方向に並設された両レンズ２を橋絡するブリッジ３を備え、該ブリッジ３には、一対の鼻パッド３ａが設けられている。
【００１６】
また、メガネフレーム１は、各レンズ２の側部に直接的に取り付けられた一対のヨロイ４を備えている。
【００１７】
該各ヨロイ４は、断面円形状の１本の細長い金属線を折り曲げて形成されたものであり、平面視で略Ｌ字状をなすヨロイ本体部４ａを有している。
【００１８】
該ヨロイ本体部４ａは、レンズ２から外側方に延出する第１延出部４ｂと、レンズ２の裏面から離れるように第１延出部４ｂの延出端からメガネ１０の後方に延びる第２延出部４ｃとを備え、第１延出部４ｂの基端部分がビスＢ１及びナットＮ１を用いてレンズ２の側部に固定されている。尚、第１延出部４ｂの基端側には、１本の金属線を折り返した部分にビスＢ１を挿通させるビス挿通孔（図示せず）が形成されている。
【００１９】
第２延出部４ｃの延出端側には、上方に向かって延びる第１支軸４ｄと、下方に向かって延びる第２支軸４ｅとが設けられている。尚、第１支軸４ｄは、金属線の一方の端部を上方に折り曲げて形成され、第２支軸４ｅは、金属線の他方の端部を下方に折り曲げることにより形成されている。
【００２０】
第２支軸４ｅは、その中心軸が第１支軸４ｄと同方向に延びるとともに、当該第１支軸４ｄよりもレンズ２から離れた位置に設けられている。
【００２１】
メガネフレーム１は、使用者のこめかみ部分に対応する水平方向に直線状に延びる一対のテンプル５を備えている。
【００２２】
該各テンプル５は、板面が上下方向に沿って延びる可撓性を有する細長い金属板で形成され、側方に撓むよう構成されている。
【００２３】
テンプル５の一端側は、水平方向に延びてテンプル５の一端に開放するスリット５ａによって上下方向に第１分割部６と第２分割部７とに２分割される一方、テンプル５の他端側には、使用者の耳に接触する部分となるモダン８が取り付けられている。
【００２４】
第１分割部６の一端側には、上下方向に貫通する断面略円形状の軸支孔６ａが設けられ、該軸支孔６ａは、金属板の折り返し部分における板間に形成された隙間により構成されている。
【００２５】
軸支孔６ａには、ヨロイ４の第１支軸４ｄが下方から嵌合しており、テンプル５は、第１支軸４ｄ周りに回動可能になっている。
【００２６】
すなわち、第１支軸４ｄは、上下に延びる回動軸心Ｃ１周りに回動可能に第１分割部６を軸支している。
【００２７】
また、第１分割部６の一端側下半部分には、第１分割部６の一端と第１支軸４ｄとの間に対応する内側壁を切り欠くことにより形成された第１切欠部６ｂが設けられている。
【００２８】
そして、第１分割部６の一端側下半部分における外側壁が本発明のカバー部６ｃを構成しており、該カバー部６ｃは、テンプル５を外側方に回動させた際、ヨロイ４の第２延出部４ｃに接触するようになっている。
【００２９】
第２分割部７の一端側には、上下方向に貫通するガイド溝７ａが設けられ、該ガイド溝７ａは、金属板の折り返し部分における板間に形成された隙間により構成されている。
【００３０】
ガイド溝７ａは、第２分割部７の一端から他端に向かって当該第２分割部７の延長方向に沿って延びていて、第２支軸４ｅが上方から嵌合している。
【００３１】
第２分割部７の一端側上半部分には、第２分割部７の一端と第２支軸４ｅとの間に対応する内側壁を切り欠くことにより形成された第２切欠部７ｂが設けられている。
【００３２】
そして、第２支軸４ｅは、テンプル５が第１支軸４ｄ（回動軸心Ｃ１）周りに回動する際、ガイド溝７ａに案内されるよう構成されている。
【００３３】
また、第２分割部７の一端側上半部分における外側壁が本発明のカバー部７ｃを構成しており、該カバー部７ｃは、テンプル５を外側方に回動させた際、ヨロイ４の第２延出部４ｃに接触するようになっている。
【００３４】
次に、メガネ１０の折り畳み動作について詳述する。
【００３５】
まず、メガネ１０の使用者は、一方の手でヨロイ４等を把持しながら他方の手でテンプル５に対してメガネ１０の内側方に向く力を加えると、図６及び図７に示すように、テンプル５が第１支軸４ｄ周りに回動し始めるとともに第２支軸４ｅがガイド溝７ａに案内され始める。すると、第２支軸４ｅは、第１支軸４ｄと第２支軸４ｅとの並設方向に第２分割部７を押すので、第２分割部７が第１分割部６から離れるように徐々に撓んでいく。テンプル５が所定の角度回動するまでは、第２支軸４ｅをガイド溝７ａの元位置Ｐ１に戻す方向に第２支軸４ｅに対して第２分割部７の復元力が加わるが、テンプル５が所定の角度以上回動すると、第２支軸４ｅをガイド溝７ａの元位置Ｐ１から離す方向に第２支軸４ｅに対して第２分割部７の復元力が加わり、図５及び図８に示すように、第２分割部７が撓んだ状態のままテンプル５がレンズ２の裏面に沿う方向に延びる姿勢で維持されるようになる。このように、本発明の実施形態１に係るメガネ１０は、コンパクトな形状に変形させることができる。
【００３６】
次いで、メガネ１０の使用時について詳述する。
【００３７】
使用者がメガネ１０をかける際、使用者のこめかみ部分にテンプル５が接触すると、図９及び図１０に示すように、テンプル５がメガネの外側方に第１支軸４ｄ周りに回動し始めるとともに第２支軸４ｅがガイド溝７ａに案内され始める。すると、第２支軸４ｅは、第１支軸４ｄと第２支軸４ｅとの並設方向に第２分割部７を押すので、第２分割部７が第１分割部６から離れるように撓む。このとき、第２支軸４ｅをガイド溝７ａの元位置Ｐ１に戻す方向に第２支軸４ｅに対して第２分割部７の復元力が加わり、テンプル５に対してメガネ１０の内側方に回動する力が働くようになる。したがって、使用者のこめかみ部分にテンプル５をフィットさせることができる。
【００３８】
また、テンプル５がメガネ１０の外側方に回動する際、カバー部６ｃ、７ｃがヨロイ本体部４ａの第２延出部４ｃに接触してそれ以上のテンプル５の回動動作を阻止するようになるので、テンプル５が所定の角度以上外側方に回動し過ぎてしまうのを防ぐことができる。
【００３９】
以上より、本発明の実施形態１によると、特許文献１の如き複雑な形状のヒンジ機構が無く、さらには、コイルバネ等も必要無いので、製作が簡単で、且つ、部品点数を少なくすることができ、コストを下げることができる。
【００４０】
また、特許文献１の如き構造よりも部品点数を減らすことができるので、メガネ１０全体の重量を軽くすることができる。
【００４１】
さらに、第１分割部６の一端側下半部分にヨロイ４の一部を外側方から覆うカバー部６ｃが設けられる一方、第２分割部７の一端側上半部分にヨロイ４の一部を外側方から覆うカバー部７ｃが設けられているので、使用者がメガネ１０をかけているときに、カバー部６ｃ、７ｃによってヨロイ本体部４ａの一部領域が外側方から見えなくなり、メガネ１０全体の意匠性を高めることができる。
【００４２】
尚、本発明の実施形態１では、テンプル５に２つのカバー部６ｃ、７ｃを設けているが、テンプル５に２つのカバー部６ｃ、７ｃを設けることは必須ではなく、第１分割部６及び第２分割部７の少なくとも一方に設けるようにすればよい。
【００４３】
《発明の実施形態２》
図１１乃至図１５は、本発明の実施形態２に係るメガネフレーム１を備えたメガネ１０を示す。この実施形態２では、メガネフレーム１がリム９を備えている点と、ヨロイ４及びテンプル５の一部構造とが実施形態１と異なっているだけで、その他は実施形態１と同じであるため、以下、実施形態１と異なる部分のみを詳細に説明する。
【００４４】
実施形態２では、各レンズ２が一対のリム９にそれぞれ嵌め込まれ、ブリッジ３が両リム９を橋絡している。
【００４５】
実施形態２のヨロイ４は、実施形態１と同様に、断面円形状の１本の細長い金属線を折り曲げて形成されたものであり、平面視で略Ｌ字状をなすとともに側面視で略Ｕ字状をなすヨロイ本体部４０ａを有している。
【００４６】
該ヨロイ本体部４０ａは、リム９の前面に固定される上下に延びる固定部４１ａと、該固定部４１ａの上下両端からそれぞれ外側方に互いに平行となるように延出する一対の第１延出部４１ｂと、レンズ２の裏面から離れるように各第１延出部４１ｂの延出端からメガネ１０の後方に延びる一対の第２延出部４１ｃとを備え、下側の第２延出部４１ｃは、先端側部分が基端側部分よりも下方に位置するよう段差状に延びている。
【００４７】
下側の第２延出部４１ｃの延出端は、上側の第２延出部４１ｃの延出端よりもレンズ２の裏面から離れていて、上側の第２延出部４１ｃの延出端から上記第１支軸４ｄが下方に向かって延びる一方、下側の第２延出部４１ｃの延出端から上記第２支軸４ｅが上方に向かって延びている。
【００４８】
実施形態２の第１分割部６における軸支孔６ａには、第１支軸４ｄが上方から嵌合しており、当該第１支軸４ｄは、回動軸心Ｃ１周りに回動可能に第１分割部６を軸支している。
【００４９】
また、第１分割部６の一端側上半部分には、第１分割部６の一端と第１支軸４ｄとの間に対応する内側壁を切り欠くことにより形成された第１切欠部６１ｂが設けられている。
【００５０】
そして、第１分割部６の一端側上半部分における外側壁が本発明のカバー部６１ｃを構成しており、該カバー部６１ｃは、テンプル５を外側方に回動させた際、ヨロイ４の上側の第２延出部４１ｃに接触するようになっている。
【００５１】
実施形態２の第２分割部７におけるガイド溝７ａには、第２支軸４ｅが下方から嵌合している。
【００５２】
第２分割部７の一端側下半部分には、第２分割部７の一端と第２支軸４ｅとの間に対応する内側壁を切り欠くことにより形成された第２切欠部７１ｂが設けられている。
【００５３】
そして、第２分割部７の一端側下半部分における外側壁が本発明のカバー部７１ｃを構成しており、該カバー部７１ｃは、テンプル５を外側方に回動させた際、ヨロイ４の下側の第２延出部４１ｃに接触するようになっている。
【００５４】
尚、メガネ１０を折り畳む際のテンプル５の動作は、実施形態１と同じであるので、詳細な説明は省略する。
【００５５】
また、メガネ１０の使用時におけるテンプル５の動作は、当該テンプル５を外側方に回動させた際に、ヨロイ本体部４０ａの一対の第２延出部４１ｃがカバー部６１ｃ、７１ｃにそれぞれ接触する以外は実施形態１と同じであるので、詳細な説明を省略する。
【００５６】
以上より、本発明の実施形態２によると、実施形態１と同様の効果が得られるとともに、ヨロイ４が特徴的な外観になるので、メガネ１０全体の意匠性を高めることができる。
【００５７】
尚、本発明の実施形態２では、テンプル５に２つのカバー部６１ｃ、７１ｃを設けているが、テンプル５に２つのカバー部６１ｃ、７１ｃを設けることは必須ではなく、第１分割部６及び第２分割部７の少なくとも一方に設けるようにすればよい。
【００５８】
また、本発明の実施形態１、２の構造は、近視用のメガネ１０に適用されているが、サングラス等に適用することもできる。
【産業上の利用可能性】
【００５９】
本発明は、メガネの骨格をなすメガネフレームに適している。
【符号の説明】
【００６０】
１        メガネフレーム
２        レンズ
４          ヨロイ
４ａ        ヨロイ本体部
４ｄ        第１支軸
４ｅ        第２支軸
５        テンプル
５ａ スリット
６        第１分割部
６ｃ        カバー部
７        第２分割部
７ａ        ガイド溝
７ｃ        カバー部
８        モダン
４０ａ        ヨロイ本体部
６１ｃ        カバー部
７１ｃ        カバー部
Ｃ１        回動軸心  
【手続補正２】
【補正対象書類名】特許請求の範囲
【補正対象項目名】全文
【補正方法】変更
【補正の内容】
【特許請求の範囲】
【請求項１】
レンズの側部に直接的にか、或いは、当該レンズが嵌め込まれたリムの側部に取り付けられるヨロイと、側方に回動可能となるように一端が上記ヨロイに軸支される一方、モダンが他端側に取り付けられるテンプルとを備えたメガネフレームであって、
上記テンプルは、水平方向に延び、且つ、板面が上下方向に沿って延びて側方に撓むよう可撓性を有する細長い金属板で形成され、上記テンプルの一端側は、水平方向に延びて上記テンプルの一端に開放するスリットによって回動軸心に沿う上下方向に第１分割部と第２分割部とに２分割され、且つ、当該第２分割部は上下方向に貫通するとともに上記テンプルの延長方向に延びるガイド溝を有し、
上記ヨロイには、上記回動軸心周りに回動可能に上記第１分割部を軸支する第１支軸と、上記第１支軸と同方向に延び、且つ、当該第１支軸よりも上記レンズから離れた位置において上記ガイド溝に嵌合しており、上記テンプルが上記回動軸心周りに回動する際、上記ガイド溝に案内されるよう構成された第２支軸とが設けられていることを特徴とするメガネフレーム。
【請求項２】
請求項１に記載のメガネフレームにおいて、
上記ヨロイには、上記レンズ裏面から離れる方向に延び、延出端側に上記第１及び第２支軸を有するヨロイ本体部が設けられ、
上記第１分割部の一端と上記第１支軸との間、及び、上記第２分割部の一端と上記第２支軸との間の少なくとも一方には、上記テンプルを外側方に回動させた際、上記ヨロイ本体部に接触するカバー部が設けられていることを特徴とするメガネフレーム。